【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
サーバから送信された広告を表示する端末によって実行されるプログラムであって、
第１広告の動画データの一部である第１動画データを、前記プログラムに含まれるアプリケーションによって前記サーバから受信することと、
前記アプリケーションと前記第１動画データとを関連づけて前記端末のメモリに記憶することと、
前記第１動画データに基づく第１表示を前記端末の表示領域に前記アプリケーションによって表示することと、
前記第１広告の動画データの一部である、受信された前記第１動画データとは異なる第２動画データを前記アプリケーションによって前記サーバから受信することと、
前記第１表示の前記表示領域への表示の後、前記第２動画データに基づく第２表示を前記表示領域に前記アプリケーションによって表示することとが前記端末によって実行される。
【請求項２】
請求項１に記載のプログラムであって、
前記第１広告とは異なる第２広告の動画データの一部である第３動画データを、前記アプリケーションによって前記サーバから受信することと、
前記アプリケーションと前記第３動画データとを関連づけて前記メモリに記憶することと、
前記第３動画データに基づく第３表示を前記表示領域に前記アプリケーションによって表示することと、
前記第２広告の動画データの一部である、受信された前記第３動画データとは異なる第４動画データを前記アプリケーションによって前記サーバから受信することと、
前記第４動画データの受信を中断し、前記第１広告と前記第２広告とは異なる第３広告の動画データの少なくとも一部を前記アプリケーションによって前記サーバから受信することとが前記端末によって実行される。
【請求項３】
請求項２に記載のプログラムであって、
前記第４動画データは、前記第４動画データが前記端末に受信された容量に基づいて、受信が中断される。
【請求項４】
請求項３に記載のプログラムであって、
前記表示領域に表示された前記第３表示に基づいて、前記第３広告の動画データの少なくとも一部の受信を中断し、前記第４動画データの受信を再開することが前記端末によって実行される。
【請求項５】
請求項１に記載のプログラムであって、
前記第２動画データは、第５動画データと、前記第５動画データよりも再生時間が短い第６動画データとのいずれか一方であり、
前記端末のユーザに関する情報に基づいて、前記第５動画データと前記第６動画データとのうちいずれか一方を前記アプリケーションによって前記サーバから受信することが前記端末によって実行される。
【請求項６】
請求項５に記載のプログラムであって、
前記端末のユーザに関する情報は、前記端末の通信速度に関する情報を含む。
【請求項７】
請求項６に記載のプログラムであって、
前記通信速度が第１通信速度の場合、前記第５動画データを前記アプリケーションによって前記サーバから受信し、前記通信速度が前記第１通信速度よりも遅い第２通信速度であった場合、前記第６動画データを前記アプリケーションによって前記サーバから受信することが前記端末によって実行される。
【請求項８】
請求項１から請求項７のいずれか一項に記載のプログラムであって、
前記端末のユーザに関する情報に基づいて容量が決定された前記第１動画データを前記アプリケーションによって前記サーバから受信することが前記端末によって実行される。
【請求項９】
請求項８に記載のプログラムであって、
前記端末のユーザに関する情報は、前記端末の通信に関する情報を含む。
【請求項１０】
請求項９に記載のプログラムであって、
前記端末の通信速度が第３通信速度の場合、第１容量の前記第１動画データを前記サーバから受信し、前記通信速度が前記第３通信速度よりも遅い第４通信速度の場合、前記第１容量よりも大きい第２容量の前記第１動画データを前記アプリケーションによって前記サーバから受信することが前記端末によって実行される。
【請求項１１】
請求項９に記載のプログラムであって、
前記端末の通信に関する情報は、前記端末の通信の履歴に基づく情報を含む。
【請求項１２】
請求項１に記載のプログラムであって、
前記第１広告とは異なる、１つまたは複数の広告のうち、前記１つまたは複数の広告の各々一部の動画データを前記アプリケーションによって前記サーバから受信することが前記端末によって実行され、
前記サーバから受信する前記１つまたは複数の広告の数は、前記端末の広告の再生に関する情報に基づき変更される。
【請求項１３】
請求項１に記載のプログラムであって、
前記第１広告とは異なる、１つまたは複数の広告のうち、前記１つまたは複数の広告の各々一部の動画データを前記アプリケーションによって前記サーバから受信することが前記端末によって実行され、
前記サーバから受信する前記１つまたは複数の広告の数は、前記端末で広告された商品の購入履歴に基づき変更される。
【請求項１４】
請求項１に記載のプログラムであって、
前記端末で再生される広告の再生数が第１再生回数の場合、前記第１広告の前記第１動画データを前記アプリケーションによって前記サーバから受信し、前記端末で再生される広告の再生数が前記第１再生回数より多い第２再生回数の場合、前記第１広告とは異なる第２広告の一部である第３動画データと前記第１動画データとを前記アプリケーションによって前記サーバから受信することが前記端末によって実行される。
【請求項１５】
請求項１に記載のプログラムであって、
前記端末で広告された商品の購入履歴が第１購入履歴の場合、前記第１広告の前記第１動画データを前記アプリケーションによって前記サーバから受信し、前記購入履歴が前記第１購入履歴よりも前記端末による商品の購入が多い第２購入履歴の場合、前記サーバから前記第１広告とは異なる第２広告の一部である第３動画データと前記第１動画データとを前記アプリケーションによって前記サーバから受信することが前記端末によって実行される。
【請求項１６】
請求項１から請求項１５のいずれか一項に記載のプログラムであって、
前記第１動画データと前記第１動画データに関連した静止画データとを前記アプリケーションによって前記サーバから受信することが前記端末によって実行される。
【請求項１７】
請求項１６に記載のプログラムであって、
前記第１動画データに基づく前記第１表示を前記表示領域に表示している間、前記第２動画データの受信ができない場合、前記静止画データに基づく第４表示を前記表示領域に表示することが前記端末によって実行される。
【請求項１８】
請求項１６または請求項１７に記載のプログラムであって、
前記静止画データは、前記第１広告のロゴに関する情報を含む。
【請求項１９】
請求項１６に記載のプログラムであって、
広告の動画データに基づいて、前記静止画データを受信するタイミングを変更することが前記端末によって実行される。
【請求項２０】
請求項１９に記載のプログラムであって、
前記第１広告の動画データの再生の後に前記静止画データに基づく第４表示を行う場合、前記静止画データを前記第２動画データの受信の間、または前記第２動画データの受信の後に前記静止画データを受信することが前記端末によって実行される。
【請求項２１】
請求項１６に記載のプログラムであって、
前記静止画データは、前記第１動画データに基づく表示の再生が停止していることを示すデータである。
【請求項２２】
請求項１から請求項１６のいずれか一項に記載のプログラムであって、
前記第１動画データに基づく前記第１表示を前記表示領域に表示している間、前記第２動画データの受信ができない場合、前記第１動画データに含まれる画像データを静止画像として前記表示領域に表示することが前記端末によって実行される。
【請求項２３】
請求項１に記載のプログラムであって、
前記第１広告とは異なる第２広告の一部である第３動画データと、前記第１広告の動画データの一部である前記第２動画データとを条件に基づいて前記アプリケーションによって前記サーバから受信することが前記端末によって実行される。
【請求項２４】
請求項２３に記載のプログラムであって、
前記条件に基づいて、前記第２動画データと前記第３動画データとのうちの一方を前記アプリケーションによって前記サーバから受信する、または受信速度が異なる前記第２動画データと前記第３動画データとを前記アプリケーションによって前記サーバから受信することが前記端末によって実行される。
【請求項２５】
請求項２３に記載のプログラムであって、
前記条件は、前記第２動画データに基づく前記第２表示の前記表示領域への再生の停止に関する条件であり、
前記条件に基づいて、前記第３動画データのみの受信、または前記第２動画データよりも受信速度が早い前記第３動画データを前記アプリケーションによって前記サーバから受信することが前記端末によって実行される。
【請求項２６】
請求項２３または請求項２４に記載のプログラムであって、
前記条件は、前記第２動画データに基づく前記第２表示の前記表示領域への表示の開始に関する条件であり、
前記条件に基づき、前記第２動画データのみの受信、または前記第３動画データよりも受信速度が早い前記第２動画データを前記アプリケーションによって前記サーバから受信することが前記端末によって実行される。
【請求項２７】
サーバから送信された広告を表示する端末の情報処理方法であって、
第１広告の動画データの一部である第１動画データを、前記端末のアプリケーションによって前記サーバから受信することと、
前記アプリケーションと前記第１動画データとを関連づけて前記端末のメモリに記憶することと、
前記第１動画データに基づく第１表示を前記端末の表示領域に前記アプリケーションによって表示することと、
前記第１広告の動画データの一部である、受信された前記第１動画データとは異なる第２動画データを前記アプリケーションによって前記サーバから受信することと、
前記第１表示の前記表示領域への表示の後、前記第２動画データに基づく第２表示を前記表示領域に前記アプリケーションによって表示することとを含む。
【請求項２８】
サーバから送信された広告を表示する端末であって、
第１広告の動画データの一部である第１動画データを前記サーバから受信する通信部と、
前記端末のアプリケーションと前記第１動画データとを関連づけて記憶する記憶部と、
前記第１動画データに基づく第１表示を表示する表示部とを備え、
前記通信部は、前記第１広告の動画データの一部である、受信された前記第１動画データとは異なる第２動画データを受信し、
前記表示部は、前記第１表示の表示の後、前記第２動画データに基づく第２表示を表示する。
【請求項２９】
サーバから送信された広告をユーザの端末に表示する広告表示方法であって、
前記広告の動画データの一部である第１動画データを前記サーバから受信し、
前記第１動画データを前記端末のメモリに記憶し、
前記第１動画データに基づく第１表示を前記端末の表示領域に表示し、
前記第１動画データの受信に基づいて、前記広告の動画データのうち前記第１動画データとは異なる第２動画データを前記サーバから受信し、
前記第１表示の前記表示領域への表示に基づいて、前記第２動画データに基づく第２表示を前記表示領域に表示する。
【手続補正２】
【補正対象書類名】明細書
【補正対象項目名】発明の名称
【補正方法】変更
【補正の内容】
【発明の名称】プログラム、情報処理方法、端末、広告表示方法
【手続補正３】
【補正対象書類名】明細書
【補正対象項目名】０００１
【補正方法】変更
【補正の内容】
【０００１】
本開示は、プログラム、情報処理方法、端末、広告表示方法に関する。
【手続補正４】
【補正対象書類名】明細書
【補正対象項目名】０００４
【補正方法】変更
【補正の内容】
【０００４】
本実施例の一態様に係るプログラムは、サーバから送信された広告を表示する端末によって実行されるプログラムであって、第１広告の動画データの一部である第１動画データを、プログラムに含まれるアプリケーションによってサーバから受信することと、アプリケーションと第１動画データとを関連づけて端末のメモリに記憶することと、第１動画データに基づく第１表示を端末の表示領域にアプリケーションによって表示することと、第１広告の動画データの一部である、受信された第１動画データとは異なる第２動画データをアプリケーションによってサーバから受信することと、第１表示の表示領域への表示の後、第２動画データに基づく第２表示を表示領域にアプリケーションによって表示することとが端末によって実行される。
また、本実施例の一態様に係る情報処理方法は、サーバから送信された広告を表示する端末の情報処理方法であって、第１広告の動画データの一部である第１動画データを、端末のアプリケーションによってサーバから受信することと、アプリケーションと第１動画データとを関連づけて端末のメモリに記憶することと、第１動画データに基づく第１表示を端末の表示領域にアプリケーションによって表示することと、第１広告の動画データの一部である、受信された第１動画データとは異なる第２動画データをアプリケーションによってサーバから受信することと、第１表示の表示領域への表示の後、第２動画データに基づく第２表示を表示領域にアプリケーションによって表示することとを含む。
また、本実施例の一態様に係る端末は、サーバから送信された広告を表示する端末であって、第１広告の動画データの一部である第１動画データをサーバから受信する通信部と、端末のアプリケーションと第１動画データとを関連づけて記憶する記憶部と、第１動画データに基づく第１表示を表示する表示部とを備え、通信部は、第１広告の動画データの一部である、受信された第１動画データとは異なる第２動画データを受信し、表示部は、第１表示の表示領域への表示の後、第２動画データに基づく第２表示を表示する。
また、本実施例の一態様に係る広告表示方法は、サーバから送信された広告をユーザの端末に表示する広告表示方法であって、広告の動画データの一部である第１動画データをサーバから受信し、第１動画データを端末のメモリに記憶し、第１動画データに基づく第１表示を端末の表示領域に表示し、第１動画データの受信に基づいて、広告の動画データのうち第１動画データとは異なる第２動画データをサーバから受信し、第１表示の表示領域への表示に基づいて、第２動画データに基づく第２表示を表示領域に表示する。